(57)【要約】【課題】環境情報に基づいて物品の品質を適切に管理する。【解決手段】物品を格納している格納装置を制御する物品管理システムであって、前記物品の物品情報を取得する物品情報取得手段と、前記物品の環境情報を取得する環境情報取得手段と、前記格納装置を制御する格納制御手段と、前記物品の良否判断基準情報を取得する良否判断基準取得手段と、前記物品情報、前記環境情報および前記良否判断基準情報に基づいて前記物品の良否を判別する良否判別手段と、を備え、前記格納制御手段は、前記良否判別手段の判別結果に基づいて、前記格納装置から前記物品を取出し可能状態か否かを制御する。【選択図】図１
2017065836.tif 000002
【特許請求の範囲】
【請求項１】
物品を格納している格納装置を制御する物品管理システムであって、
前記物品の物品情報を取得する物品情報取得手段と、
前記物品の環境情報を取得する環境情報取得手段と、
前記格納装置を制御する格納制御手段と、
前記物品の良否判断基準情報を取得する良否判断基準取得手段と、
前記物品情報、前記環境情報および前記良否判断基準情報に基づいて前記物品の良否を判別する良否判別手段と、
を備え、
前記格納制御手段は、前記良否判別手段の判別結果に基づいて、前記格納装置から前記物品を取出し可能状態か否かを制御する物品管理システム。
【請求項２】
請求項１に記載の物品管理システムにおいて、
前記格納制御手段は、前記良否判別手段の判別結果に基づいて、前記格納装置から前記物品を取出し可能状態か否かを表示するように前記格納装置を制御する物品管理システム。
【請求項３】
請求項１に記載の物品管理システムにおいて、
前記格納制御手段は、前記良否判別手段の判別結果に基づいて、前記格納装置から前記物品を取出し可能状態にするか否かを制御する物品管理システム。
【請求項４】
請求項１乃至３のいずれか一項に記載の物品管理システムにおいて、
前記物品情報は、前記物品の有効期限が含まれており、
前記良否判別手段は、判断時の日時を取得し、前記日時が前記有効期限を過ぎている場合に、前記物品を不良品と判断する物品管理システム。
【請求項５】
請求項１乃至４のいずれか一項に記載の物品管理システムにおいて、
前記物品情報は、前記物品の種類および前記物品の入荷日が含まれており、
前記格納制御手段は、前記物品情報から、物品の種類が同じで入荷日が異なる物品が、前記格納装置の異なる場所に格納されていると判断した場合、前記物品の有効期限が早い方を取出し可能状態にする物品管理システム。
【請求項６】
請求項１乃至５のいずれか一項に記載の物品管理システムにおいて、
前記環境情報は、前記物品が保管される空間の温度の最大の温度を示す場所の温度情報と、前記空間の最小の温度を示す場所の温度情報とを含む物品管理システム。
【請求項７】
物品を格納している格納装置を制御する物品管理装置であって、
前記物品の物品情報を取得する物品情報取得手段と、
前記物品の環境情報を取得する環境情報取得手段と、
前記格納装置を制御する格納制御手段と、
前記物品の良否判断基準情報を取得する良否判断基準取得手段と、
前記物品情報、前記環境情報および前記良否判断基準情報に基づいて前記物品の良否を判別する良否判別手段と、
を備え、
前記格納制御手段は、前記良否判別手段の判別結果に基づいて、前記格納装置を制御する物品管理装置。
【請求項８】
物品を格納する格納装置であって、
前記物品の環境情報を取得する環境情報取得装置と、
前記物品を格納し、開閉部を有する格納ケースと、
前記格納ケースの物品取出し口の開閉を制御する制御装置と、
を備える格納装置。
【請求項９】
物品を格納している格納装置を制御する情報処理装置が実行する方法であって、
前記物品の物品情報を取得する物品情報取得工程と、
前記物品の環境情報を取得する環境情報取得工程と、
前記格納装置を制御する格納制御工程と、
前記物品の良否判断基準情報を取得する良否判断基準取得工程と、
前記物品情報、前記環境情報および前記良否判断基準情報に基づいて前記物品の良否を判別する良否判別工程と、
を実行するものであり、
前記格納制御工程は、前記良否判別工程の判別結果に基づいて、前記格納装置を制御する物品管理方法。
【請求項１０】
物品を格納している格納装置を制御する情報処理装置を、
前記物品の物品情報を取得する物品情報取得手段、
前記物品の環境情報を取得する環境情報取得手段、
前記格納装置を制御する格納制御手段、
前記物品の良否判断基準情報を取得する良否判断基準取得手段、
前記物品情報、前記環境情報および前記良否判断基準情報に基づいて前記物品の良否を判別する良否判別手段、
として機能させ、
前記格納制御手段は、前記良否判別手段の判別結果に基づいて、前記格納装置を制御する物品管理プログラム。
【発明の詳細な説明】
【技術分野】
【０００１】
本発明は、物品管理システム、物品管理装置、格納装置、物品管理方法および物品管理プログラムに関する。
【背景技術】
【０００２】
医薬品等の物品は、その品質が適切に保たれることが重要である。そのため、物品が製造業者から出荷されて消費者の手に渡るまでの流通（物流）過程における品質を管理することが重要視されている。
【０００３】
例えば、流通過程における品質の管理として、物品が置かれている環境の温度を監視し、顧客に渡されるまでの温度管理が求められている。このような物品の置かれている環境の環境情報に基づいた品質の管理により、品質が確保されている良品のみを、処方することや物品販売元等に返品することができるようになる。
【０００４】
従来、薬局において、処方箋で指定された医薬品と異なる医薬品を医薬品棚から誤って出し入れすることを防止する技術は存在したが（例えば、特許文献１等を参照）、環境情報（例えば、温度データの履歴）に基づいて物品の品質を管理し、品質が保たれていない医薬品を患者に提供する医薬品や物品販売元等に返品することを防止することは行われてこなかった。
【発明の概要】
【発明が解決しようとする課題】
【０００５】
上述したように、従来は環境情報に基づいて物品の品質を管理しておらず、品質が保たれていない物品を顧客に提供、または物品販売元等に返品してしまうといった、品質保証の問題があった。
【０００６】
なお、医薬品の例を中心に説明したが、医薬品以外の物品についても同様の品質保証の問題がある。また、環境情報として温度データ以外に、例えば、湿度データ、照度データ、加速度（振動）データ等がある。
【０００７】
本発明は上記の従来の問題点に鑑み提案されたものであり、その目的とするところは、環境情報に基づいて物品の品質を適切に管理することにある。
【課題を解決するための手段】
【０００８】
上記の課題を解決するため、本発明にあっては、物品の物品情報を取得する物品情報取得手段と、前記物品の環境情報を取得する環境情報取得手段と、前記物品を格納している物品格納機を制御する格納制御手段と、前記物品の良否判断基準情報を保持する良否判断基準保持手段と、前記物品情報、環境情報および前記良否判断基準情報に基づいて前記物品の良否を判別する良否判別手段と、を備え、前記格納制御手段は、前記良否判別手段の判別結果に基づいて、前記物品格納機を制御する。
【発明の効果】
【０００９】
本発明にあっては、環境情報に基づいて物品の品質を適切に管理することができる。
【図面の簡単な説明】
【００１０】
【図１】本発明の一実施形態にかかる物品管理システムの構成例を示す図である。
【図２】測温装置の構成例を示す図である。
【図３】データロガーの構成例を示す図である。
【図４】通信モジュールの構成例を示す図である。
【図５】物品管理装置のソフトウェア構成例を示す図である。
【図６】物品管理装置のハードウェア構成例を示す図である。
【図７】端末のソフトウェア構成例を示す図である。
【図８】端末のハードウェア構成例を示す図である。
【図９】実施形態の処理例を示すアクティビティ図（その１）である。
【図１０】実施形態の処理例を示すアクティビティ図（その２）である。
【図１１】実施形態の処理例を示すアクティビティ図（その３）である。
【図１２】実施形態の処理例を示すアクティビティ図（その４）である。
【図１３】処理の過程で更新または参照されるデータの例を示す図（その１）である。
【図１４】処理の過程で更新または参照されるデータの例を示す図（その２）である。
【図１５】処理の過程で更新または参照されるデータの例を示す図（その３）である。
【図１６】処理の過程で更新または参照されるデータの例を示す図（その４）である。
【図１７】処理の過程で更新または参照されるデータの例を示す図（その５）である。
【図１８】処理の過程で更新または参照されるデータの例を示す図（その６）である。
【図１９】処理の過程で更新または参照されるデータの例を示す図（その７）である。
【図２０】処理の過程で更新または参照されるデータの例を示す図（その８）である。
【図２１】加速度情報の例を示す図である。
【発明を実施するための形態】
【００１１】
以下、本発明の好適な実施形態につき説明する。なお、医薬品の保管を例に説明するが、医薬品以外の物品についても同様に適用することができる。また、温度データを採取する場合を例に説明するが、その他の湿度データ、照度データ、加速度（振動）データ等を含む環境情報についても同様に適用することができる。
【００１２】
＜構成＞
図１は本発明の一実施形態にかかる物品管理システムの構成例を示す図である。図１において、物品管理システムは、薬局の入庫担当者、調剤担当者、返却担当者が操作する端末１０と、医薬品棚５０の測温装置２０、制御装置６０とが、ネットワーク３０を介して物品管理装置（サーバ装置）４０と接続されて構成される。端末１０には固定型のものと携帯型のものとが含まれ、操作が行われる環境に適したものを使用することができる。なお、ネットワーク３０は、例えば、インターネットやＬＡＮである。
【００１３】
医薬品棚５０は、複数の棚セル５１（例えば、開閉部付き格納ケースや引き出しトレイ等）を有している。棚セル５１には、制御装置６０により制御される電気錠５２とＬＥＤ（Light Emitting Diode）等による開閉状態を示すランプ５３とが設けられている。電気錠５２は、例えば閉錠時には棚セル５１の開閉や引き出しがロックされ、棚セル５１に格納されている物品を取り出させなくするもの（すなわち、取り出し禁止状態にするもの）である。なお、制御装置６０は、例えば、ＣＰＵ、ＲＯＭ、ＲＡＭ、記憶部（フラッシュメモリ等）および外部Ｉ／Ｆから構成されており、ネットワーク３０を介して物品管理装置４０からの制御命令を受信し、医薬品棚５０に設けられている電気錠５２やランプ５３を制御する機能を有する。測温装置２０は、環境情報として温度を取得する環境情報取得装置であり、例えば、医薬品棚５０における最も高い温度を示す場所と最も低い温度を示す場所の温度を測定するものである。医薬品棚５０の最も高い温度を示す場所と最も低い温度を示す場所は、事前に確認され、その場所に測温装置２０がそれぞれ配置される。
【００１４】
図２は測温装置２０の構成例を示す図であり、温度を測定して温度データを記録するデータロガー２１と、温度データを外部に無線送信する通信モジュール２２とがＵＳＢ（Universal Serial Bus）コネクタ等により接続可能となっている。なお、別個の測温装置２０を用いずに、医薬品棚５０に温度センサを配置し、温度センサから出力された温度データを医薬品棚５０においてメモリに保存し、医薬品棚５０の無線送信機能によりサーバに送信するようにしてもよい。この場合、別体の測温装置２０の電力消費に応じた電源の管理が不要になるとともに、記憶容量の確保も容易になる。
【００１５】
図３はデータロガー２１の構成例を示す図である。なお、ここでは温度以外に湿度や加速度を併せて測定できるものを示している。更に、照度を測定できるようにしてもよい。図３において、データロガー２１は、制御機能のためのＣＰＵ（Central Processing Unit）２１ａ、ＲＯＭ（Read Only Memory）２１ｂ、ＲＡＭ（Random Access Memory）２１ｃ、記憶部（フラッシュメモリ等）２１ｄを備えている。また、データロガー２１は、ユーザインタフェースのための表示部２１ｅ、入力部２１ｆを備えている。また、データロガー２１は、データ取得のための時刻取得部２１ｇ、温度取得部２１ｈ、湿度取得部２１ｉ、加速度取得部２１ｊと、通信モジュール２２や端末１０との接続のための外部Ｉ／Ｆ（Interface）２１ｋとを備えている。
【００１６】
図４は通信モジュール２２の構成例を示す図である。図４において、通信モジュール２２は、制御機能のためのＣＰＵ２２ａ、ＲＯＭ２２ｂ、ＲＡＭ２２ｃ、記憶部２２ｄと、ユーザインタフェースのための表示部２２ｅ、入力部２２ｆとを備えている。また、通信モジュール２２は、データ取得のための時刻取得部２２ｇ、位置情報取得部（ＧＰＳ（Global Positioning System）等）２２ｈと、データロガー２１との接続のための外部Ｉ／Ｆ２２ｉと、無線によるネットワーク接続のための無線通信部２２ｊとを備えている。
【００１７】
図５は物品管理装置４０のソフトウェア構成例を示す図である。図５において、物品管理装置４０は、通信部４１と管理部４２とを備えている。通信部４１は、ネットワーク３０を介して外部装置とデータ通信を行う機能を有している。管理部４２は、医薬品棚５０の測温装置２０から温度データを収集して管理し、処方箋等に基づいて患者に物品を提供する際、または、物品を返却する際に、温度データに基づいて物品の品質の良否の判断を行う機能を有している。管理部４２は、処理に際し、医薬品棚情報、入荷医薬品温度データファイル情報、温度情報、医薬品棚温度情報、環境温度条件等を使用する。詳細については後述する。
【００１８】
また、管理部４２は、物品情報取得部４２１と環境情報取得部４２２と格納制御部４２３と良否判断基準取得部４２４と良否判断部４２５とを備えている。物品情報取得部４２１は、医薬品棚５０の棚セル５１に格納される医薬品（物品）の情報を医薬品棚情報として管理するとともに、物品の良否を判断する際に、医薬品棚情報から物品の物品情報を取得する機能を有している。環境情報取得部４２２は、物品が保管される環境の温度等の環境情報を医薬品棚温度情報等として管理するとともに、物品の良否を判断する際に、医薬品棚温度情報等から物品の環境情報を取得する機能を有している。格納制御部４２３は、制御装置６０を介して医薬品棚５０の棚セル５１を制御し、物品の良否の判別結果に基づいて、棚セル５１から物品を取出し可能状態か否かを制御する機能を有している。良否判断基準取得部４２４は、環境温度条件から良否判断基準情報を取得する機能を有している。物品の良否判断基準は、物品ごとに決まっていてもよいし、一律に決まっていてもよい。良否判断部４２５は、物品情報、環境情報および良否判断基準情報に基づいて物品の良否を判別する機能を有している。
【００１９】
図６は物品管理装置４０のハードウェア構成例を示す図である。図６において、物品管理装置４０は、システムバス４０１に接続されたＣＰＵ（Central Processing Unit）４０２、ＲＯＭ（Read Only Memory）４０３、ＲＡＭ（Random Access Memory）４０４、ＮＶＲＡＭ（Non-Volatile Random Access Memory）４０５を備えている。また、物品管理装置４０は、Ｉ／Ｆ（Interface）４０６と、Ｉ／Ｆ４０６に接続された、Ｉ／Ｏ（Input/Output Device）４０７、ＨＤＤ（Hard Disk Drive）／フラッシュメモリ４０８、ＮＩＣ（Network Interface Card）４０９と、Ｉ／Ｏ４０７に接続されたモニタ４１０、キーボード４１１、マウス４１２等を備えている。Ｉ／Ｏ４０７にはＣＤ／ＤＶＤ（Compact Disk/Digital Versatile Disk）ドライブ等を接続することもできる。
【００２０】
図５で説明した物品管理装置４０の機能は、ＣＰＵ４０２において所定のプログラムが実行されることで実現される。プログラムは、記録媒体を経由して取得されるものでもよいし、ネットワークを経由して取得されるものや予め物品管理装置４０に組み込まれて提供されるものでもよい。
【００２１】
図７は端末１０のソフトウェア構成例を示す図である。図７において、端末１０は、情報入力部１１と情報送受信部１２とメモリ消去命令部１３と判定部１４と情報表示部１５と音声報知部１６と位置情報取得部１７とを備えている。情報入力部１１は、ユーザからの情報の手入力やバーコード入力を受け付けるとともに、データロガーから温度データを入力（取得）する機能を有している。情報送受信部１２は、データロガーや物品管理装置４０との間で情報の送受信を行う機能を有している。他にも、情報送受信部１２により、データロガーから測定データ（環境情報）を受信し、その測定データを物品管理装置４０に送信することや、物品管理装置４０に測定データが保存完了されたことを保存完了情報として受信すること等が可能である。すなわち、情報送受信部１２には、少なくとも環境情報送受信部、保存情報受信部の機能が含まれている。
【００２２】
メモリ消去命令部１３は、物品管理装置４０からの情報（収集されたデータが保存された旨の通知等）に基づいてデータロガーにメモリを消去する命令を出力する機能を有している。判定部１４は、データロガーから出力されたデータの異常の有無や後述の上限温度または下限温度を超えているデータの有無を判定する機能を有している。情報表示部１５は、ユーザへの情報を表示する機能を有している。音声報知部１６は、音でユーザへの報知を行う機能を有している。位置情報取得部１７は、端末１０の位置情報を取得する機能を有している。例えば、判定部１４が、データロガーとの通信時にデータに異常が生じていると判定した場合に、情報表示部１５に通信エラーが生じたことを表示し、さらに音声報知部１６によってユーザに報知する設定としてもよい。これによりデータ異常が生じていることをすぐにユーザが把握することができる。
【００２３】
図８は端末１０のハードウェア構成例を示す図である。なお、図８は携帯型の端末（スマートフォン、タブレット等）のハードウェア構成例を示しており、固定型の端末（デスクトップＰＣ、ノートＰＣ等）のハードウェア構成は図６に示したものと同様になる。
【００２４】
図８において、端末１０は、電源システム１０１と、プロセッサ１０３、メモリコントローラ１０４、周辺インタフェース１０５を含むメインシステム１０２と、記憶部１０６とを備えている。また、端末１０は、外部ポート１０７と、高周波回路１０８と、アンテナ１０９と、オーディオ回路１１０と、スピーカ１１１と、マイク１１２と、近接センサ１１３と、ＧＰＳ（Global Positioning System）回路１１４とを備えている。また、端末１０は、ディスプレイコントローラ１１６、光学センサコントローラ１１７、入力コントローラ１１８を含むＩ／Ｏ（Input/Output）サブシステム１１５と、タッチ反応型ディスプレイシステム１１９と、光学センサ１２０と、入力部１２１とを備えている。
【００２５】
図７で説明した端末１０の機能は、プロセッサ１０３において所定のプログラムが実行されることで実現される。プログラムは、記録媒体を経由して取得されるものでもよいし、ネットワークを経由して取得されるものや予め端末１０に組み込まれて提供されるものでもよい。
【００２６】
＜動作＞
図９〜図１２は上記の実施形態の処理例を示すアクティビティ図である。図１４〜図２０は処理の過程で更新または参照されるデータの例を示す図である。
【００２７】
［医薬品の入庫］
図９において、端末１０は、入庫担当者の操作により、伝票のバーコードを読み取り、または、入荷情報の入力を受け付ける（ステップＳ１０１）。次いで、端末１０は、医薬品輸送箱に取り付けられたデータロガー２１と接続され、データロガー２１の情報を取得する（ステップＳ１０２）。そして、端末１０は、取得した入荷情報（医薬品ＩＤや数量等）と温度データを物品管理装置４０に対して送信し、空いた棚セルの位置の送信を要求する（ステップＳ１０３）。
【００２８】
物品管理装置４０は、入荷情報と温度データを受信し、温度データに温度データファイルＩＤを付けて保存する（ステップＳ１０４）。図１３（ａ）は温度情報（温度データ）の例を示し、図１３（ｂ）は入荷医薬品温度データファイル情報の例を示している。
【００２９】
図９に戻り、物品管理装置４０は、医薬品棚情報を取得し、在庫数が０の棚セルを検索し（ステップＳ１０５）、棚セルの数が１以上であるか否か判断する（ステップＳ１０６）。棚セルの数が２以上である場合、物品管理装置４０は、在庫がある同じ医薬品の棚セルに場所が近い棚セルを選択する（ステップＳ１０７）。図１４（ａ）は医薬品棚情報の例を示しており、在庫数が０の棚セルとして棚セルＩＤ「Ｉ−Ａ３」（Ｉ番目の棚のＡ列３行目の棚セル）が１つだけ検索される。
【００３０】
図９に戻り、物品管理装置４０は、選択された棚セルＩＤに紐付けられた棚セルの開錠を医薬品棚５０に対して指示する（ステップＳ１０８）。医薬品棚５０は、指定された棚セルを開錠し（ステップＳ１０９）、後に、棚セルが閉められたことを確認する（ステップＳ１１０）。
【００３１】
また、物品管理装置４０は、端末１０に対して棚セルＩＤを送信する（ステップＳ１１１）。端末１０は、棚セルＩＤを受信すると（ステップＳ１１２）、棚セルＩＤ、医薬品名、有効期限、個数、伝票ＩＤを表示し、棚セルに医薬品を入れるように指示する（ステップＳ１１３）。次いで、端末１０は、医薬品が棚セルに入れられた後に完了ボタンを受け付ける（ステップＳ１１４）。そして、端末１０は、完了を物品管理装置４０に送信する（ステップＳ１１５）。
【００３２】
物品管理装置４０は、完了を受信すると（ステップＳ１１６）、棚セルが閉められたことを確認し（ステップＳ１１７）、棚セルを施錠し（ステップＳ１１８）、医薬品棚情報の棚セルＩＤの行に入荷情報を追記し（ステップＳ１１９）、処理を終了する。図１４（ｂ）は入荷情報の例を示しており、図１４（ｃ）は棚セルＩＤ「Ｉ−Ａ３」に医薬品名「ＸＸＸＸ１」の入荷情報が追記された状態を示している。
【００３３】
［温度データ取得］
図１０において、医薬品棚５０は、所定の間隔で温度を測定し（ステップＳ２０１）、測定した温度データを物品管理装置４０に送信する（ステップＳ２０２）。医薬品棚５０による測定した温度データの送信は、測定ごとの送信でもよいし、所定の期間ごとにまとめての送信でもよい。例えば、医薬品棚５０は、２分間隔で温度を測定し、測定した温度データのまとめを０時になると物品管理装置４０に送信する。
【００３４】
物品管理装置４０は、温度データを受信すると（ステップＳ２０３）、温度データリストに受信時刻とともに追記し（ステップＳ２０４）、処理を終了する。図１５は医薬品棚温度情報の例を示している。
【００３５】
［調剤］
図１１において、端末１０は、調剤担当者の操作により、患者から取得した処方箋のバーコードから処方箋情報として医薬品ＩＤと数量を取得し（ステップＳ３０１）、物品管理装置４０に送信する。なお、本実施形態では、物品管理装置４０は、端末１０を介して医薬品ＩＤと数量の情報を取得しているが、端末１０以外から情報を取得してもよく、例えば、調剤担当者等が患者から受け取った処方箋の情報をレセプトコンピュータとよばれる事務処理装置に入力し、レセプトコンピュータから処方箋情報を物品管理装置４０へ送信する構成としてもよい。
【００３６】
物品管理装置４０は、医薬品ＩＤと数量を受信すると、医薬品棚情報を検索し、医薬品ＩＤの示す医薬品が保管された棚セルを抽出する（ステップＳ３０３）。図１６（ａ）は処方箋から読み取られたデータの例を示しており、そこに含まれる医薬品ＩＤ「Ａ００００１」により医薬品棚情報から抽出されたレコードの例を図１６（ｂ）に示している。
【００３７】
図１１に戻り、物品管理装置４０は、有効期限が期限内である棚セルを抽出する（ステップＳ３０４）。図１６（ｃ）は有効期限が期限内であるものとして抽出されたレコードの例を示しており、ここでは図１６（ｂ）で抽出されたものが全て期限内であるものとして抽出されている。
【００３８】
図１１に戻り、物品管理装置４０は、入荷日が最も早いものを選択する（ステップＳ３０５）。図１６（ｄ）は、図１６（ｃ）のレコードの中から入荷日が最も早いものとして選択されたレコードを示している。
【００３９】
図１１に戻り、物品管理装置４０は、選択した医薬品の伝票ＩＤに該当する温度データと入荷日時以降の医薬品棚の温度データを取得する（ステップＳ３０６）。次いで、物品管理装置４０は、医薬品の環境温度条件を取得し、取得した温度データが医薬品の環境温度条件の範囲内であることを確認する（ステップＳ３０７）。図１７は、取得した温度データと、それから集約した環境温度と、環境温度条件の例を示しており、この例では、環境温度の最大値と最小値が環境温度条件の最大値と最小値の間に含まれているため、環境温度条件を満足していると判断される。
【００４０】
図１１に戻り、物品管理装置４０は、環境温度条件を満たしていることを確認した後、処方箋の数量と棚セルの数量を比較し（ステップＳ３０８）、処方箋の数量が選択された棚セルの合計値以下であるか否か判断する（ステップＳ３０９）。処方箋の数量が選択された棚セルの合計値よりも多い場合、物品管理装置４０は、次に早い入荷日の棚セルを選択し（ステップＳ３１０）、温度データの取得（ステップＳ３０６）に戻る。
【００４１】
処方箋の数量が選択された棚セルの合計値以下である場合、物品管理装置４０は、医薬品の棚セルＩＤの開錠指示を行う（ステップＳ３１１）。医薬品棚５０は、医薬品の棚セルＩＤに紐付けられた棚セルを開錠し（ステップＳ３１２）、後に、棚セルが閉められたことを確認する（ステップＳ３１３）。
【００４２】
また、物品管理装置４０は、端末１０に対して棚セルＩＤを送信する（ステップＳ３１４）。端末１０は、棚セルＩＤを受信すると（ステップＳ３１５）、棚セルＩＤ、医薬品名、有効期限、個数、伝票ＩＤを表示し、棚セルから医薬品を取り出すように指示する（ステップＳ３１６）。図１８（ａ）は、２つの棚セルについての表示例を示している。
【００４３】
図１１に戻り、端末１０は、医薬品が棚セルから取り出された後に完了ボタンを受け付ける（ステップＳ３１７）。そして、端末１０は、完了を物品管理装置４０に送信する（ステップＳ３１８）。物品管理装置４０は、完了を受信すると（ステップＳ３１９）、棚セルが閉められたことを確認し（ステップＳ３２０）、棚セルを施錠し（ステップＳ３２１）、医薬品棚情報の棚セルＩＤの在庫個数を修正し（ステップＳ３２２）、処理を終了する。図１８（ｂ）は修正後の医薬品棚情報の例を示しており、棚セルＩＤ「Ｉ−Ａ１」「Ｉ−Ａ２」の在庫数が減らされている。
【００４４】
なお、要求された医薬品が環境温度条件を満足していると判断された場合に棚セル５１を開錠するようにしたが、電気錠５２を備えない場合には、ランプ５３によるアラート（例えば、青色発光の場合は取り出し可、赤色発光の場合は取り出し不可）で済ませることもできる。以降、電気錠５２が開錠されている状態またはランプが取出し可であることを示している状態等の、棚セル５１に格納されている物品を取り出しが可能となっている状態を、取出し可能状態と称する。取出し可能状態では、顧客への物品の提供または卸への返品が可能な状態を指す。
【００４５】
［返却］
図１２において、端末１０は、物品管理装置４０に対して医薬品棚情報の送信指示を行う（ステップＳ４０１）。物品管理装置４０は、医薬品棚情報を取得し（ステップＳ４０２）、端末１０に対して医薬品棚情報を送信する（ステップＳ４０３）。端末１０は、医薬品棚情報を受信すると（ステップＳ４０４）、返却担当者から返却する医薬品の棚セルＩＤの選択を受け付け（ステップＳ４０５）、棚セルＩＤを物品管理装置４０に対して送信する（ステップＳ４０６）。
【００４６】
物品管理装置４０は、棚セルＩＤを受信すると（ステップＳ４０７）、棚セルＩＤに紐付けられた入荷日以降の棚の温度データを取得する（ステップＳ４０８）。次いで、物品管理装置４０は、棚セルＩＤに紐付けられた温度データファイルＩＤを求め、医薬品の温度データを取得する（ステップＳ４０９）。次いで、物品管理装置４０は、２つの温度データを連結する（ステップＳ４１０）。そして、物品管理装置４０は、医薬品の環境温度条件と比較し、範囲内であることを確認する（ステップＳ４１１）。図１９（ａ）は返却しようとする医薬品棚情報の例を示し、図１９（ｂ）は対応する温度データを連結した例を示し、図１９（ｃ）は環境温度条件の例を示し、図１９（ｄ）は連結した温度データから集約した環境温度の例を示している。この例では、環境温度の最大値と最小値が環境温度条件の最大値と最小値の間に含まれているため、環境温度条件を満足していると判断される。
【００４７】
図１２に戻り、物品管理装置４０は、環境温度条件を満たしていることを確認した後、医薬品の棚セルＩＤの開錠指示を行う（ステップＳ４１２）。医薬品棚５０は、医薬品の棚セルＩＤに紐付けられた棚セルを開錠し（ステップＳ４１３）、後に、棚セルが閉められたことを確認する（ステップＳ４１４）。
【００４８】
また、物品管理装置４０は、端末１０に対して棚セルＩＤを送信する（ステップＳ４１５）。端末１０は、棚セルＩＤを受信すると（ステップＳ４１６）、棚セルＩＤ、医薬品名、有効期限、個数、伝票ＩＤを表示し、棚セルから医薬品を取り出すように指示する（ステップＳ４１７）。図２０（ａ）は、返却についての表示例を示している。
【００４９】
図１２に戻り、端末１０は、医薬品が棚セルから取り出された後に完了ボタンを受け付ける（ステップＳ４１８）。そして、端末１０は、完了を物品管理装置４０に送信する（ステップＳ４１９）。物品管理装置４０は、完了を受信すると（ステップＳ４２０）、棚セルが閉められたことを確認し（ステップＳ４２１）、棚セルを施錠し（ステップＳ４２２）、医薬品棚情報の棚セルＩＤの在庫個数を０に修正し（ステップＳ４２３）、処理を終了する。図２０（ｂ）は修正後の医薬品棚情報の例を示しており、棚セルＩＤ「Ｉ−Ｂ１」の在庫数が減らされている。
【００５０】
なお、要求された医薬品が環境温度条件を満足していると判断された場合に棚セル５１を開錠するようにしたが、電気錠５２を備えない場合には、ランプ５３によるアラート（例えば、青色発光の場合は取り出し可、赤色発光の場合は取り出し不可）で済ませることもできる。
【００５１】
＜環境情報として加速度情報を用いる場合についての補足＞
前述したように、上記の実施形態では温度を用いた場合について説明したが、環境情報として、所定方向の加速度を利用してもよい。
【００５２】
一例として、重力方向であるＺ軸方向の加速度を取得し続け、環境履歴として出力し、その環境履歴から、Ｚ軸方向の加速度の値が予め設定した所定の閾値を超えるか否か判定し、閾値を超えていない場合は良、超えている場合は不良可能性ありとして、チェックするように指示を送ることができる。図２１は加速度情報と逸脱判定の例を示している。
【００５３】
また、所定方向の加速度が所定の閾値を逸脱した場合のみ、逸脱した時刻と逸脱量を記録し、通信モジュールを介してサーバに送信し、逸脱していない場合は、逸脱がない旨、記録開始時刻および記録終了時刻のみ通信モジュールを介してデータを送信する設定としてもよい。これにより、データロガーの記録量が減り、通信量も減る効果を奏する。また、メモリに保存するのは、記録開示時刻と、記録終了時刻と、Ｚ軸加速度が所定の値よりも大きい値を取ったときの加速度と、その時刻とし、他はメモリに保存はしないようにすることもできる。
【００５４】
上述の実施形態において説明したデータロガー、通信モジュール、医薬品棚、物品管理装置のそれぞれの機能的な構成要素は、その一部または全部を別の装置に設けてもよい。例えば、医薬品棚に温度センサを設け、医薬品棚の制御装置が温度センサを制御し、取得した温度情報を物品管理装置に送信する構成としてもよい。
【００５５】
＜総括＞
以上説明したように、本実施形態によれば、環境情報に基づいて物品の品質の良否を判断し、品質が保たれていない物品を顧客に提供、または物品販売元等に返品してしまうことを防止することができる。これにより、環境情報に基づいて物品の品質を適切に管理することができる。
【００５６】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【符号の説明】
【００５７】
１０        端末
１１        情報入力部
１２        情報送受信部
２０        測温装置
２１        データロガー
２２        通信モジュール
３０        ネットワーク
４０        物品管理装置
４１        通信部
４２        管理部
４２１      物品情報取得部
４２２      環境情報取得部
４２３      格納制御部
４２４      良否判断基準取得部
４２５      良否判断部
５０        医薬品棚
５１        棚セル
５２        電気錠
５３        ランプ
６０        制御装置
【先行技術文献】
【特許文献】
【００５８】
【特許文献１】特開２００６−００４１１９号公報
【図１】
2017065836.tif 000003
【図２】
2017065836.tif 000004
【図３】
2017065836.tif 000005
【図４】
2017065836.tif 000006
【図５】
2017065836.tif 000007
【図６】
2017065836.tif 000008
【図７】
2017065836.tif 000009
【図８】
2017065836.tif 000010
【図９】
2017065836.tif 000011
【図１０】
2017065836.tif 000012
【図１１】
2017065836.tif 000013
【図１２】
2017065836.tif 000014
【図１３】
2017065836.tif 000015
【図１４】
2017065836.tif 000016
【図１５】
2017065836.tif 000017
【図１６】
2017065836.tif 000018
【図１７】
2017065836.tif 000019
【図１８】
2017065836.tif 000020
【図１９】
2017065836.tif 000021
【図２０】
2017065836.tif 000022
【図２１】
2017065836.tif 000023